(57)【特許請求の範囲】
【請求項１】
交差する建築構造材同士を接合する補強金具であって、短筒環状基体の縁辺から内方に向けて、前記建築構造材を固定する固定片を突設したことを特徴とする建築用補強金具。
【請求項２】
交差する建築構造材同士を接合する補強金具であって、短筒環状基体の周壁に、前記建築構造材を固定するねじ止孔を穿設し、前記短筒環状基体と前記建築構造材との当接部位に、ゴム弾性体からなる補助部材を添設し、当該補助部材を介して補助金具と建築構造材間を締着固定することを特徴とする建築用補強金具。
【発明の詳細な説明】
【０００１】
【発明の属する技術分野】
本発明は、地震、台風等により木造建築物に強度の振動が負荷されても崩壊しないように、建築構造材の接合部に取付けて当該接合部を弾発的に補強することを目的とする建築用補強金具に関する。
【０００２】
【従来の技術】
従来、木造建築物の構造材の接合部を補強するものとして、筋かいや火打梁を取付けたり、かすがいやＬ型金具を取付けるなど種々の方法が採用されている。
しかし、これら補強具は、地震、台風等により強度の振動が負荷された場合に、建築構造材の接合部における振動を吸収する緩衝能力が不足しがちになるため、建築構造材から補強具が離脱したり、補強具が破損してしまう等のトラブルを招き、酷い場合にはこれが原因で木造建築物が倒壊してしまうこともある。
【０００３】
そこで、地震、台風等による強度の振動に耐え得るものとして、図７に斜視図で示すような補強金具７１が考案され、使用されている。
この補強金具７１は、高張力鋼よりなる板材をＬ字状に折曲すると共に、両片部７２１，７２２の各々の中間部に外側に折曲した折曲膨出部７２１ａ，７２２ａを各々形成したＬ形基材７２を設け、このＬ形基材７２の折曲角部７２３に高張力鋼よりなる板材を折曲した補強部材７３を溶接により固着し、上記Ｌ形基材７２の四ヶ所に吸震ゴム等よりなる緩衝部材７４を係着したものである。
【０００４】
これによれば、Ｌ形基材７２全体及びその折曲膨出部７２１ａ，７２２ａにより、垂直、水平両方向の振動がある程度吸収されるが、木造建築物に強い振動が負荷された場合に、変形したＬ形基材７２を復元させるには不十分であり、建築構造材相互の接合部で破損する虞れがある。
【０００５】
【発明が解決しようとする課題】
即ち、上述の如く、補強金具７１は、両片部７２１，７２２の中間部を外側に折曲して平坦な折曲膨出部７２１ａ，７２２ａを形成してあるだけなので、垂直方向の振動、鉛直回りの揺動を吸収したり、Ｌ形基材７２の変形を復元させる等の作用効果が不十分であると共に、Ｌ形基材７２に補強部材７３を溶接して、Ｌ形基材７２の折曲角部７２３と補強部材７３の折曲角部７３１との間が固着されているために、弾性変形量が少なくなって、補強部材７３に直接的に過大な集中負荷が加わることとなり、締着用のボルトが飛んだり補強部材７３に亀裂が生じたりするという問題があった。
【０００６】
本発明は、かかる問題点を解決すべく為されたものであって、垂直方向や水平方向の振動、鉛直回りの揺動を吸収して、地震、台風等により木造建築物に強度の振動が負荷されても崩壊しないように、交差する建築構造材の双方に跨がって弾発的に補強する補強金具を固着して、耐震性能を一層向上させるようにした建築用補強金具を提供することを目的とする。
【０００７】
【課題を解決するための手段】
本発明の要旨は、交差する建築構造材同士を接合する補強金具であって、短筒環状基体の縁辺から内方に向けて、前記建築構造材を固定する固定片を突設したことを特徴とする建築用補強金具であり、また、短筒環状基体の周壁に、建築構造材を固定するねじ止孔を穿設したことを特徴とする建築用補強金具である。
【０００８】
【発明の実施の形態】
以下、本発明の建築用補強金具の好適な実施形態について、図面に基づき具体的に説明する。
図１は本発明の短筒環状基体に固定片を突設した建築用補強金具の一実施例を示す斜視図、図２は図１に示す建築用補強金具の使用状態を示す正面図、図３は本発明の短筒環状基体に固定片を突設した建築用補強金具の他実施例の使用状態を示す正面図、図４は本発明の短筒環状基体にねじ止孔を穿設した建築用補強金具の一実施例を示す斜視図、図５は図４に示す建築用補強金具の使用状態の一例を示す正面図、図６は図４に示す建築用補強金具の使用状態の他例を示す正面図である。
【０００９】
本発明は、図示したように、交差する建築構造材Ｘ，Ｙ同士を接合する補強金具１であって、高張力鋼よりなる短筒環状基体１１の縁辺から内方に向けて、上記建築構造材Ｘ，Ｙを固定する固定片１１１を突設したことを特徴とし、また、高張力鋼よりなる短筒環状基体１２の周壁１２１に、建築構造材Ｘ，Ｙを固定するねじ止孔１２２を穿設したことを特徴とするものである。
【００１０】
そして、上記後者の建築用補強金具１において、短筒環状基体１２と建築構造材Ｘ，Ｙとの当接部位に、ゴム弾性体からなる補助部材２を添設し、この補助部材２を介して補強金具１と建築構造材Ｘ，Ｙ間を締着固定するものであることを特徴とするものである。
【００１１】
本発明は、母体の短筒環状基体１１又は短筒環状基体１２が、高張力鋼よりなる短筒環状体をなす強靭なバネ弾性体よりなるので、この短筒環状基体１１又は短筒環状基体１２を交差する建築構造材Ｘ，Ｙの接合部に適用することにより、地震や台風等で、木造建築物の建築構造材Ｘ，Ｙに、垂直方向や水平方向の振動又は鉛直回りの揺動が加わるなど強度の振動が負荷されても、この振動衝撃を吸収する緩衝効果と弾発復元力が起生し、拠って木造建築物の損壊が防止されるというものである。
【００１２】
【実施例】
本発明の建築用補強金具１の短筒環状基体１１や短筒環状基体１２の材質は、低炭素鋼に、マンガン、珪素、ニッケル、クロム、モリブデン等の合金元素を適当に組合わせて少量添加したものからなり、通常、引っ張り強度５０ｋｇ／ｍｍ2 以上、降伏点３０ｋｇ／ｍｍ2 以上であって、溶接加工性、弾発復元性、靭性、耐蝕性等の点で優れた高張力鋼が好適に使用される。
【００１３】
短筒環状体をなす本発明の短筒環状基体１１や短筒環状基体１２の各サイズは、適用部位によって多少相違するが、その直径が約４００ｍｍ、周壁の幅が約５０ｍｍ、肉厚が約８ｍｍ、ねじ止孔１１２，１２２の直径が１３〜１４ｍｍのものが好適に用いられる。
【００１４】
先ず、母体が短筒環状基体１１である場合の実施例について記述する。
即ち、短筒環状基体１１には、図１乃至図３に示すように、その縁辺から内方に向け、成形又は溶接により複数の固定片１１１が一体に突出形成されており、この各固定片１１１には、柱等の建築構造材Ｘ、並びに、基礎、土台、梁、桁等の建築構造材Ｙに締着するためのねじ止孔１１２が穿設されている。
【００１５】
図１には、短筒環状基体１１に三片の固定片１１１を鼎立状態に突設したものを示してあるが、図２に示すように、この三片の固定片１１１の内の一片を、締着金具３を用いて柱等の建築構造材Ｘに締着すると共に、残り二片の固定片１１１を土台、梁、桁等の建築構造材Ｙに締着することにより、建築構造材Ｘと建築構造材Ｙとの交差接合部を固定すると共に、弾発的に補強することができる。
【００１６】
また、図３に示すものは、短筒環状基体１１の縁辺から内方に向けて対向配設されている固定片１１１，１１１の内の一方を、締着金具３を用いて柱等の建築構造材Ｘに締着すると共に、他方を基礎等の建築構造材Ｙに締着することにより、建築構造材Ｘと建築構造材Ｙ間を固定すると共に弾発的に補強することができる。
【００１７】
次に、母体が短筒環状基体１２である場合の実施例について記述する。
即ち、図４に示すように、短筒環状基体１２の周壁１２１には、柱等の建築構造材Ｘ及び土台、梁、桁等の建築構造材Ｙに締着するためのねじ止孔１２２が穿設されている。
【００１８】
図５に示すように、短筒環状基体１２と建築構造材Ｘ，Ｙとの当接部位に、ゴム弾性体からなる補助部材２を介在させて、一方のねじ止孔１２２から締着金具３を通し、柱等の建築構造材Ｘに締着すると共に、他方のねじ止孔１２２から締着金具３を通し、土台、梁、桁等の建築構造材Ｙに締着することにより、建築構造材Ｘと建築構造材Ｙとの交差接合部を固定すると共に、これを弾発的に補強することができる。この際、締着金具３により無理なく締着できるように、短筒環状基体１２の円弧（Ｒ）に応じて股開き角度αを適宜設定することが好ましい。
【００１９】
上述のような短筒環状基体１２と建築構造材Ｘ，Ｙとの締着方法のほか、図６に示すように、短筒環状基体１２と建築構造材Ｘ，Ｙとの当接部位に、ゴム弾性体からなる補助部材２を介在させると共に、短筒環状基体１２の当接部位の内側にも、円弧に合わせた当接面を有する補助部材２を添設しておけば、締着金具３の股開き角度αを設定することなく、無理なく締着できるものである。
【００２０】
本発明の建築用補強金具１の短筒環状基体１１及び１２は、共に高張力鋼よりなる強靭なバネ弾性を有する短筒環状体であるので、建築構造材Ｘ，Ｙ間に亘り固定される補強金具１の弾発復元作用と緩衝効果の起生により、水平方向の振動や鉛直回りの揺動が加わる等の強度の衝撃振動が吸収されて、木造建築物の損壊が防止されるという作用効果が得られる。
なお、本発明の短筒環状基体１２を建築構造材Ｘ，Ｙ間に適用した場合には、上述の作用効果と共に、補強金具１の締着部位に補助部材２を添設したことに伴なう緩衝効果も得られるので好ましい。
【００２１】
また、本発明の建築用補強金具１の短筒環状基体１１及び１２は簡単な構造体であるので、何れの製作コストも安価であると共に、建築構造材Ｘ，Ｙ双方への取付け作業も手間がかからず極めて容易であって、施工コストが低廉で済むという作用効果も得られる。
【図面の簡単な説明】
【図１】本発明の短筒環状基体に固定片を突設した建築用補強金具の一実施例を示す斜視図である。
【図２】図１に示す建築用補強金具の使用状態を示す正面図である。
【図３】本発明の短筒環状基体に固定片を突設した建築用補強金具の他実施例の使用状態を示す正面図である。
【図４】本発明の短筒環状基体にねじ止孔を穿設した建築用補強金具の一実施例を示す斜視図である。
【図５】図４に示す建築用補強金具の使用状態の一例を示す正面図である。
【図６】図４に示す建築用補強金具の使用状態の他例を示す正面図である。
【図７】従来例を示す斜視図である。
【符号の説明】
１        建築用補強金具
１１      短筒環状基体
１１１    固定片
１１２    ねじ止孔
１２      短筒環状基体
１２１    周壁
１２２    ねじ止孔
２        補助部材
３        締着金具
Ｘ        建築構造材（柱等）
Ｙ        建築構造材（基礎、土台、梁、桁等）
【図１】
0004673506.tif 000002
【図２】
0004673506.tif 000003
【図３】
0004673506.tif 000004
【図４】
0004673506.tif 000005
【図５】
0004673506.tif 000006
【図６】
0004673506.tif 000007
【図７】
0004673506.tif 000008